(57)【要約】【課題】ワンタッチ操作で簡単に組み立てることができ、又、使用する部品点数が少なく製造コストを下げることができ、又、故障しにくく製品寿命を長くすることができ、さらに、コンパクトに折り畳むことができて携帯に便利な携帯用折り畳み椅子を提供する。【解決手段】３本の棒状脚部材と、上記３本の棒状脚部材を互いに交差するように傾けて起立する状態に固定しうる脚固定部材と、上記３本の棒状脚部材により支持されるシート状の座席部材とを有して構成される。上記２本の棒状脚部材には背凭れ枠部を延長して設け、背凭れ部材を装着することができる。【選択図】図１
0003103029.tif 000002
【実用新案登録請求の範囲】
【請求項１】
３本の棒状脚部材と、上記３本の棒状脚部材を互いに交差するように傾けて起立する状態に固定しうる脚固定部材と、上記３本の棒状脚部材により支持されるシート状の座席部材とを有することを特徴とする携帯用折り畳み椅子。
【請求項２】
上記脚固定部材は板状部材に上記３本の棒状脚部材がそれぞれ貫通しうる３つの孔部が穿設されて形成され、それら３つの孔部は、非使用状態では上記３本の棒状脚部材を板状部材に対し直角に貫通させうるとともに、使用状態では上記３本の棒状脚部材を互いに交差するように傾けて貫通させうる形状に形成されたことを特徴とする請求項１記載の携帯用折り畳み椅子。
【請求項３】
上記３本の棒状脚部材の中の２本には、その上端部に背凭れ枠部が延長するように一体に形成され、その２本の背凭れ枠部に装着しうるシート状の背凭れ部材が具えられたことを特徴とする請求項１又は２記載の携帯用折り畳み椅子。
【請求項４】
上記シート状の背凭れ部材は横長帯状で、その両端に上記背凭れ枠部を挿入することにより上記背凭れ枠部に装着可能とする袋部が形成されたことを特徴とする請求項３記載の携帯用折り畳み椅子。
【請求項５】
上記シート状の座席部材は、略三角形で、その２箇所の角部には上記２本の棒状脚部材の上記背凭れ枠部を貫通させうる孔部が穿設されると共に、残りの１箇所の角部における裏面側には残りの１本の棒状脚部材の上端部を挿入しうる袋部が形成されたことを特徴とする請求項１、２、３又は４記載の携帯用折り畳み椅子。
【考案の詳細な説明】
【技術分野】
【０００１】
本考案は携帯用折り畳み椅子に関する。
【背景技術】
【０００２】
従来の携帯用折り畳み椅子は、組み立て作業が煩雑で、組み立てに手間取り、時間がかかるという不具合があった。
【０００３】
また、従来の携帯用折り畳み椅子は、折り畳み部にヒンジ等の部品を用いているので、部品点数が多くなり、取り付け工程も増えるので、製造コストが高くなるという不具合もあった。
【０００４】
また、従来の携帯用折り畳み椅子で、ヒンジ等の部品を用いて構成されたものは、そのヒンジ等の部品が何度も繰り返し折り畳む動作をするので、故障しやすく、製品寿命が短いという不具合もある。
【０００５】
また、従来の携帯用折り畳み椅子は、折り畳んだ状態でも、それほどコンパクトにならず嵩張るので、携帯に不便であった。
【０００６】
なお、本出願人は上記の不具合を解消できる携帯用折り畳み椅子を調査したが、関連する先行技術文献を発見できなかった。
【考案の開示】
【考案が解決しようとする課題】
【０００７】
そこで本考案は、ワンタッチ操作で簡単に組み立てることができ、又、使用する部品点数が少なく製造コストを下げることができ、又、故障しにくく製品寿命を長くすることができ、さらに、コンパクトに折り畳むことができて携帯に便利な携帯用折り畳み椅子の提供を課題とする。
【課題を解決するための手段】
【０００８】
上記課題を解決するために、請求項１記載の本考案に係る携帯用折り畳み椅子は、３本の棒状脚部材と、上記３本の棒状脚部材を互いに交差するように傾けて起立する状態に固定しうる脚固定部材と、上記３本の棒状脚部材により支持されるシート状の座席部材とを有することを特徴とするものである。
【０００９】
即ち、本考案に係る携帯用折り畳み椅子は、３本の棒状脚部材を互いに交差するように傾けて起立させ、その起立状態を脚固定部材で固定し、シート状の座席部材を上記３本の棒状脚部材により支持して、その座席部材に着座するようにしたものである。
【００１０】
また、請求項２記載の本考案に係る携帯用折り畳み椅子は、上記脚固定部材が板状部材に上記３本の棒状脚部材がそれぞれ貫通しうる３つの孔部が穿設されて形成され、それら３つの孔部は、非使用状態では上記３本の棒状脚部材を板状部材に対し直角に貫通させうるとともに、使用状態では上記３本の棒状脚部材を互いに交差するように傾けて貫通させうる形状に形成されたことを特徴とする。
【００１１】
即ち、本考案に係る携帯用折り畳み椅子は、上記脚固定部材の板状部材に穿設された３つの孔部にそれぞれ貫通させた３本の棒状脚部材を互いに交差するように傾けることにより起立させて組立状態となすことができ、又、不使用時は上記３本の棒状脚部材を板状部材に対し直角に貫通させることにより組立状態を解消することができる。
【００１２】
また、請求項３記載の本考案に係る携帯用折り畳み椅子は、上記３本の棒状脚部材の中の２本には、その上端部に背凭れ枠部が延長するように一体に形成され、その２本の背凭れ枠部に装着しうるシート状の背凭れ部材が具えられたことを特徴とする。
【００１３】
即ち、本考案に係る携帯用折り畳み椅子は、２本の棒状脚部材の上端部に一体的に背凭れ枠部が形成され、その左右の背凭れ枠部によりシート状の背凭れ部材の左右両端部が支持されるものである。
【００１４】
また、請求項４記載の本考案に係る携帯用折り畳み椅子は、上記シート状の背凭れ部材は横長帯状で、その両端に上記背凭れ枠部を挿入することにより上記背凭れ枠部に装着可能とする袋部が形成されたことを特徴とする。
【００１５】
即ち、本考案に係る携帯用折り畳み椅子は、横長帯状のシート状の背凭れ部材の左右両端部に袋部が形成され、その袋部に上記背凭れ枠部が挿入されることにより、上記シート状の背凭れ部材が背凭れ枠部に簡単に取り付けられることになる。
【００１６】
また、請求項５記載の本考案に係る携帯用折り畳み椅子は、上記シート状の座席部材は、略三角形で、その２箇所の角部には上記２本の棒状脚部材の上記背凭れ枠部を貫通させうる孔部が穿設されると共に、残りの１箇所の角部における裏面側には残りの１本の棒状脚部材の上端部を挿入しうる袋部が形成されたことを特徴とする。
【００１７】
即ち、本考案に係る携帯用折り畳み椅子は、略三角形に形成された上記シート状の座席部材における３箇所の角部が、３本の棒状脚部材でそれぞれ支持されるものである。つまり、２本の棒状脚部材に延長して形成された上記背凭れ枠部は、座席部材の２箇所の角部に形成された孔部を貫通し、残りの１本の棒状脚部材の上端部は上記座席部材の残りの１箇所の角部における裏面側に形成された袋部に挿入されて、座席部材が３本の棒状脚部材により支持されるものである。
【考案の効果】
【００１８】
請求項１記載の本考案に係る携帯用折り畳み椅子は、３本の棒状脚部材を互いに交差するように傾けて上記脚固定部材により固定することにより、その３本の棒状脚部材を起立させるとともに、その３本の棒状脚部材にシート状の座席部材を支持させるだけで組み立てることができるので、ほぼワンタッチで組み立て可能となり、組み立て作業が極めて簡便となる。
また、ヒンジ等の部品を使用しないので、部品点数が少なく製造コストを下げることができると共に、故障しにくく製品寿命を長くすることができる。
【００１９】
また、請求項２記載の本考案に係る携帯用折り畳み椅子は、上記脚固定部材が板状部材に上記３本の棒状脚部材がそれぞれ貫通しうる３つの孔部が穿設されるだけで形成されることから、上記脚固定部材の構造がシンプルで製造が容易なため製造コストを下げることができる。
また、上記３つの孔部は、上記３本の棒状脚部材を互いに交差するように傾けることにより固定できる形状に形成されるので、板状部材の他に部品が不要で、部品点数が少なく製造コストを下げることができる。
また、上記３つの孔部は、上記３本の棒状脚部材を板状部材に対し直角に貫通させうるので、組み立てる前は、３本の棒状脚部材を平行に並列させることによりコンパクトな形態で携帯することができる。  
【００２０】
また、請求項３記載の本考案に係る携帯用折り畳み椅子は、上記２本の棒状脚部材の上端部に背凭れ枠部が延長するように一体に形成され、その２本の背凭れ枠部にシート状の背凭れ部材を装着することにより背凭れ部が構成されるので、必要最小限の部品で低コストで背凭れ部を簡単に構成できると共に、その背凭れ部により着座した人をより安楽にすることができる。
【００２１】
また、請求項４記載の本考案に係る携帯用折り畳み椅子は、横長帯状の上記シート状の背凭れ部材の両端部に形成された袋部に、上記背凭れ枠部の上端部を挿入することにより背凭れ部を容易かつ迅速に組み立てることができる。
【００２２】
また、請求項５記載の本考案に係る携帯用折り畳み椅子は、上記シート状の座席部材が、２箇所の角部に上記２本の棒状脚部材の上記背凭れ枠部を貫通させうる孔部が穿設されると共に、残りの１箇所の角部における裏面側に残りの１本の棒状脚部材の上端部を挿入しうる袋部が形成されることにより構成されるので、座席部材の構造が極めてシンプルで製造コストを下げることができる。
また、棒状脚部材に対する座席部材の装着も簡単で、使用者が簡単迅速に組み立てることができる。  
【考案を実施するための最良の形態】
【００２３】
以下、図面を用いて本考案の実施の形態について説明する。
本実施形態に係る携帯用折り畳み椅子１は、図１に示すように、３本の棒状脚部材２，３，４と、上記３本の棒状脚部材２，３，４を互いに交差するように傾けて起立する状態に固定しうる脚固定部材５と、上記３本の棒状脚部材２，３，４により支持されるシート状の座席部材６とを有している。
また、上記脚固定部材５は、図２に示すように、板状部材７に上記３本の棒状脚部材２，３，４がそれぞれ貫通しうる３つの孔部８，９，１０が穿設されて形成され、それら３つの孔部８，９，１０は、図４に示すように、非使用状態では上記３本の棒状脚部材２，３，４を板状部材７に対し直角に貫通させうるとともに、使用状態では上記３本の棒状脚部材２，３，４を互いに交差するように傾けて貫通させうる形状に形成されている。
また、上記３本の棒状脚部材２，３，４の中の２本の棒状脚部材２，３には、図１に示すように、その上端部に背凭れ枠部１１，１２が延長するように一体に形成され、その２本の背凭れ枠部１１，１２に装着しうるシート状の背凭れ部材１３が具えられている。
また、上記シート状の背凭れ部材１３は、図１に示すように、横長帯状で、図３に示すように、その両端に上記背凭れ枠部１１，１２を挿入することにより上記背凭れ枠部１１，１２に装着可能とする袋部１４，１５が形成されている。
また、上記シート状の座席部材６は、図１に示すように、略三角形で、その２箇所の角部には上記２本の棒状脚部材２，３の上記背凭れ枠部１１，１２を貫通させうる孔部１６，１７が穿設されると共に、図２に示すように、残りの１箇所の角部における裏面側には残りの１本の棒状脚部材４の上端部を挿入しうる袋部１８が形成されている。
【実施例１】
【００２４】
図示した本実施例に係る携帯用折り畳み椅子１は、図１に示すように、棒状脚部材２，３，４と、脚固定部材５と、座席部材６と、背凭れ部材１３とにより構成されている。
【００２５】
上記棒状脚部材２，３，４は３本備えられ、硬質プラスチック製又はアルミ等軽量な金属製のパイプ部材により形成されている。
【００２６】
上記３本の棒状脚部材２，３，４の中の２本の棒状脚部材２，３は、図１に示すように、その上端部に一体的に背凭れ枠部１１，１２が延長するように形成されている。上記背凭れ枠部１１，１２は、図１に示すように、棒状脚部材２，３に対し鈍角に傾斜するように形成されている。
【００２７】
上記脚固定部材５は、図１に示すように、金属製で円板状の板状部材７を有し、その板状部材７に、図２に示すように、上記３本の棒状脚部材２，３，４がそれぞれ貫通しうる３つの孔部８，９，１０が穿設されている。
【００２８】
上記板状部材７に形成された３つの孔部８，９，１０は、図４に示すように、上記３本の棒状脚部材２，３，４を板状部材７に対し直角に貫通させうるとともに、図１、図２及び図４に示すように、上記３本の棒状脚部材２，３，４を互いに交差するように傾けて貫通させうる形状に形成されている。
【００２９】
即ち、上記孔部８，９，１０は、図４に示すように、棒状脚部材２，３，４を板状部材７に対し直角に貫通させうる真直孔部１９と、棒状脚部材２，３，４を板状部材７に対し傾斜させうる斜孔部２０とを有し、その真直孔部１９と斜孔部２０は連通するように形成されている。
従って、非使用状態にあっては、図４に２点鎖線で示すように、板状部材７に対して棒状脚部材２，３，４が直角の状態となると共に、使用状態にあっては、同様に実線で示すように、板状部材７に対して所定の傾斜角度（本実施例にあっては、約６０度）に設定することができる。
【００３０】
棒状脚部材２，３，４は上記孔部８，９，１０で上記のように板状部材７に対し角度を変えうるように、図１及び図４に示すように、ピン２１により板状部材７に対し回動自在に留められている。
【００３１】
上記３本の棒状脚部材２，３，４は、図１及び図２に示すように、互いに交差するように傾けて脚固定部材５により固定すれば、起立した組立状態とすることができる。
【００３２】
上記座席部材６は、図１及び図２に示すように、丈夫で折り畳み容易な布により、略三角形のシート状に形成されている。
【００３３】
上記座席部材６は、図１及び図２に示すように、その２箇所の角部に孔部１６，１７が穿設されると共に、残りの１箇所の角部における裏面側には、図２に示すように、袋部１８が形成されている。
【００３４】
上記座席部材６の２箇所の角部に形成された上記孔部１６，１７には、上記２本の棒状脚部材２，３の上端部に一体的に形成された上記背凭れ枠部１１，１２が貫通され、また、上記座席部材６の残りの角部に形成された袋部１８には、図２に示すように、残りの１本の棒状脚部材４の上端部が挿入されて、図２に示すように留め具２２で固定されることにより、図１に示すように、座席部材６が３本の棒状脚部材２，３により支持されている。
【００３５】
また、上記２本の背凭れ枠部１１，１２には背凭れ部材１３が装着されている。
【００３６】
上記背凭れ部材１３は、上記座席部材６と同一の素材により、図１に示すように、横長帯状に形成され、その左右両端には、図３に示すように、上記背凭れ枠部１１，１２を挿入しうる袋部１４，１５が形成されている。
【００３７】
上記袋部１４，１５に挿入された上記背凭れ枠部１１，１２は、図２に示すように、留め具２３，２４により上記背凭れ部材１３に固定され、袋部１４，１５からの脱出を防止されている。
【００３８】
本実施例の携帯用折り畳み椅子１は、不使用時には、図５に示すように、上記３本の棒状脚部材２，３を上記脚固定部材５の板状部材７に対し直角に貫通させることにより組立状態を解消することができる。このとき、座席部材６及び背凭れ部材１３は折畳状態とすることができる。そして、このような状態にすることにより、嵩張らないので、頗る携帯に便利となる。
【産業上の利用可能性】
【００３９】
本考案は、すべての携帯用折り畳み椅子に適用可能である。
【図面の簡単な説明】
【００４０】
【図１】組立状態の斜視図である。
【図２】組立状態の底面図である。
【図３】図１のＡ−Ａ線断面図である。
【図４】図２のＢ−Ｂ線断面図である。
【図５】折畳状態の斜視図である。
【符号の説明】
【００４１】
１    携帯用折り畳み椅子
２    棒状脚部材
３    棒状脚部材
４    棒状脚部材
５    脚固定部材
６    座席部材
７    板状部材
８    孔部
９    孔部
１０  孔部
１１  背凭れ枠部
１２  背凭れ枠部
１３  背凭れ部材
１４  袋部
１５  袋部
１６  孔部
１７  孔部
１８  袋部
１９  真直孔部
２０  斜孔部
２１  ピン
２２  留め具
２３  留め具
２４  留め具
【図１】
0003103029.tif 000003
【図２】
0003103029.tif 000004
【図３】
0003103029.tif 000005
【図４】
0003103029.tif 000006
【図５】
0003103029.tif 000007